(57)【特許請求の範囲】
【請求項１】
当該紙葉類ホルダが固定される固定面に対して取付ける取付け部を有した本体に、上記取付け部よりも下方にのびて上記取付け部の下方における上記固定面との間に懐部を形成する被覆部が設けられ、
該被覆部の下端部に、先端側を上に向けて折曲した側面視略Ｌ字形状をなし上記懐部内に収まる大きさの押圧片が、軟質の合成樹脂からなるヒンジ部を介して一体に形成され、
上記押圧片の固定面に対向する側に、上記ヒンジ部の付与する付勢力で固定面側に付勢される押圧部が固定面側に突出形成された
紙葉類ホルダ。
【請求項２】
前記押圧片が、切れ目により長さ方向において複数に分割された
請求項１記載の
紙葉類ホルダ。
【請求項３】
前記押圧片の先端に、固定面側に折曲する押さえ込み部が形成された
請求項１または請求項に記載の
紙葉類ホルダ。
【発明の詳細な説明】
【０００１】
【発明の属する技術分野】
この発明は、ポスタやカレンダ、メモ等の紙葉類を壁面などに取付けるために用いる紙葉類ホルダに関する。
【０００２】
【従来の技術】
紙葉類を取付けるのに画鋲やテープを用いると、体裁がよくない上、紙葉類を傷付けることになるので、例えば図１２に示したような長尺のホルダ１０１がよく用いられている。
【０００３】
この種のホルダ１０１は、紙葉類１０２を前後に挟む構造であり、略逆Ｕ字形をなす本体の下端縁に、相対向する挟持縁１０１ａ，１０１ａを形成している。しかし、このホルダ１０１では、紙葉類１０２を挟持縁１０１ａ，１０１ａ間に差込まなければならないので、挿着作業が容易でないという難点があった。紙葉類１０２の上端縁部を両手で持って、針の穴に糸を通すように狙いをつけなければならない。また、紙葉類の厚みによってはきつすぎたり、緩すぎたりするなど、種々の不都合もあった。
【０００４】
【解決すべき課題及びそのための手段】
そこでこの発明は、紙葉類の一面側からのみ挟む構成を採用することで、紙葉類の挿着が極めて容易に行なえるようにするとともに、使用に際しての種々の不都合を解消することを課題とする。
【０００５】
そのための手段は、当該紙葉類ホルダが固定される固定面に対して取付ける取付け部を有した本体に、上記取付け部よりも下方にのびて上記取付け部の下方における上記固定面との間に懐部を形成する被覆部が設けられ、該被覆部の下端部に、先端側を上に向けて折曲した側面視略Ｌ字形状をなし上記懐部内に収まる大きさの押圧片が、軟質の合成樹脂からなるヒンジ部を介して一体に形成され、上記押圧片の固定面に対向する側に、上記ヒンジ部の付与する付勢力で固定面側に付勢される押圧部が固定面側に突出形成された紙葉類ホルダであることを特徴とする。
【０００６】
なお、前記押圧片が、切れ目により長さ方向において複数に分割されたものであるとよい。紙葉類ホルダを押出し成形によって形成した場合に発生するおそれのあるヒンジ部の付勢力のバラツキを無くすことができるとともに、複数枚の紙葉類を並べて保持したときでも一枚ずつ取り外すことができる。
【０００７】
また、前記押圧片の先端に、固定面側に折曲する押さえ込み部が形成されたものであるもよい。押さえ込み部を形成すると、紙葉類が無理に引っ張られたり、風で煽られたりした場合に、押圧片はずれながらも紙葉類について下方へ動き、これに伴って押え込み部が回動変位して、引っ張られれば引っ張られるだけ紙葉類を強固に押さえ込むので、脱落を阻止できる。
【０００８】
【作用及び効果】
すなわち、上述の構成によれば、取付け部を壁面（固定面）に対して取付けたとき、取付け部よりも下方にのびる被覆部と、この被覆部によって形成される懐部の存在により本体の下部は前方へ突出した状態になる。押圧片は懐部内において固定面側方向に付勢されているので、紙葉類の装着は、紙葉類の上端縁を固定面に沿って上げて行き、懐部内に下から差込むだけでよい。押圧片は、紙葉類の差込みにより後退するも、ヒンジ部の付勢力によって押圧片の押圧部が紙葉類を固定面側に押圧する。つまり、紙葉類は、押圧片の押圧部と固定面とにより挟持される。
【０００９】
上述のように紙葉類の挿着は固定面をガイドとしてこれに沿わせてサッと行なえばよいので、狙いを定めたり、両手で保持したり、ピンとはったりするような工夫は必要なく、極簡単に行なえる。
【００１０】
また、紙葉類は一面側から挟まれるので、厚みに関係なく常に良好な保持が可能である。
【００１１】
さらに、挟持には固定面を利用しているので、複雑な形状をなくして簡素化できるため、金型形状の簡素化および原料の少量化を図ることができ、コストを低く抑えることが可能である。
【００１２】
しかも、製造に当っては硬質の合成樹脂と軟質の合成樹脂との同時押出しのみで形成できるので、極めて簡単である。
【００１３】
【実施例】
この発明の一実施例を以下図面に基づいて詳述する。
図１は、紙葉類ホルダ１（以下、ホルダという）の斜視図で、硬質の合成樹脂と軟質の合成樹脂との同時押出しで形成している。その構成は、図２に示したように、壁面等の固定面Ａに取付ける取付け部２を有する本体３の下部に、固定面Ａの外側空間を囲む懐部４を形成し、この懐部４を形成する本体３に、懐部４内において紙葉類Ｂを固定面Ａとの間で挟持する押圧片５を、押圧方向に付勢状態で形成したものである。
【００１４】
本体３は、図３にも示したように、取付け部２と、この取付け部２の表面側を覆う被覆部６、それにこれらを連結する第１ヒンジ部７とで構成している。取付け部２は、断面Ｉ字形の上端部から正面方向に若干延ばした後下方に凸の第１係止部８を形成し、Ｉ字形の下部には、上述の第１係止部８と対向する第２係止部９を上に凸に形成している。
【００１５】
また、第２係止部９の上側位置には、突条１０を２本、平行に形成して第１凹溝１１を形成している。さらに第２係止部９の下側には、斜め上方に向く第２凹溝１２を形成している。これら第１凹溝１１および第２凹溝１２には形成後、必要に応じて所定間隔おきに穿孔し、止付け用に使用する連結ピン（図５参照）の挿入を可能とする。また、取付け部２の背面側の上下両端縁には、略エ字形になるようレール状の突条１４を形成している。各突条１４の内側は、磁石等の取付け手段を装着する空間１５とするとともに、上下両端縁には丸孔状の連結溝１６を形成し、連結ピン（図示せず）を挿入できるようにしている。
【００１６】
被覆部６は、緩やかに湾曲させて、取付け部２よりも長く形成し、上端に、上記第１係止部８に係止する第１係止爪１７を形成し、それよりも下側には、第２係止部９に係止する第２係止爪１８を立設している。なお、この第２係止爪１８の先端面１８ａは、差込んだピン１３の頭を抑えるピン押さえである。同様のピン押さえは、第２係止爪１８よりも下側から立設した突条１９の先端面１９ａである。このピン押さえは上方へ向けて斜めに差込んだピン１３の頭を、先のピン押さえは真っ直ぐに差込んだピン１３の頭を抑える（図５参照）。
【００１７】
上述の第１ヒンジ部７は取付け部２の第１係止部８部位と被覆部６の第１係止爪部１７部位との間に介在させている。
【００１８】
被覆部６を取付け部２よりも長く設定しているので、取付け部２の下方には、図２に示したように被覆部６で囲まれた懐部４ができる。
そこで、本体３の下端部には、第２ヒンジ部２０を介して押圧片５を一体に形成している。
【００１９】
押圧片５は、略Ｌ字状をなし、上端を固定面Ａ側に折曲して、押え込み部５ａを形成するとともに、その下側に、軟質の合成樹脂からなる押圧部５ｂを固定面Ａ側に向けて凸設している。図２の仮想線は、固定面Ａを示し、これからも分かるように、押圧片５は、固定面Ａに対して押圧する方向に付勢されている。なお、押圧部５ｂは、押え込み部５ａよりも固定面Ａ側に迫り出すようにしており、通常の紙葉類保持状態では、押圧部５ｂのみが紙葉類に接触するようにしている。
【００２０】
また押圧片５には、その長さ方向において所定間隔おきに図４に示したような切れ目２１を形成している。この切れ目２１の存在により、押出し成形による付勢力のバラツキを無くすことができるとともに、複数枚の紙葉類Ｂを並べて保持したときでも一枚ずつ取り外すことができるのである。
【００２１】
上述の第１ヒンジ部７と第２ヒンジ部２０と押圧片５の押圧部５ｂのみが軟質の合成樹脂で、残りの部位は硬質の合成樹脂で形成されている。
【００２２】
図５は、石膏ボードに適する取付け手段としてのピン１３で取付けたホルダ１を示している。紙葉類Ｂの挿着は、紙葉類Ｂの上端縁を固定面Ａをガイドとしてこれに沿わせて上動し、差込めばよい。紙葉類Ｂに押されて押圧片５は付勢力に抗して後退し、紙葉類Ｂの上動を止めた時点で第２ヒンジ部２０が発揮する付勢力で紙葉類Ｂを固定面Ａに押圧する。押圧片５の押圧部５ｂは、軟質の合成樹脂で形成しているので、柔軟にそしてしっかりと紙葉類Ｂ押圧し、保持する。
【００２３】
このように、紙葉類Ｂの挿着は、片手で保持してサッと上へ上げればよいので、非常に簡単である。取付け部２が付きさえすれば、いかなるところにでも有効である。
【００２４】
また、紙葉類Ｂは一面側から挟まれるので、厚みに関係なく常に良好な保持が可能である。
さらに、挟持には固定面Ａを利用しているので、複雑な形状をなくして簡素化できるため、金型形状の簡素化および原料の少量化を図ることができ、コストを低く抑えることが可能である。
【００２５】
しかも、製造に当っては硬質の合成樹脂と軟質の合成樹脂との同時押出しのみで形成できるので、極めて簡単である。
図６は、紙葉類Ｂの取り外し動作を説明する図である。取り外しに際しては、紙葉類Ｂの下方を手で持って捲るようにして引き下げればよい。紙葉類Ｂが押圧片５の下端部に接触して押圧片５を付勢力に抗して傾動させ、押圧部５ｂと紙葉類Ｂとの接触を絶つ。
【００２６】
なお、上述の押圧片５は図７に示したように先端部に押圧部５ｂを有した形に形成して押え込み部５ａを形成せずともよいが、上述のように押さえ込み部５ａを形成すると、紙葉類Ｂが無理に引っ張られたり、風で煽られたりした場合でも脱落を阻止できる。すなわち、紙葉類Ｂを無理に引き下げると、図８に示したように、押圧部５ｂは紙葉類Ｂをしっかりと押さえるので、ずれながらも紙葉類Ｂについて下方へ動き、これに伴って押え込み部５ａが回動変位して、引っ張られれば引っ張られるだけ紙葉類Ｂを強固に押さえ込むのである。
【００２７】
図９はピンによらない取付け方を示している。例えば、固定面Ａが磁石の付く金属の場合には、取付け部２の背面側に、磁石板２２を装着すればよい。図中２３は帯状のスポンジ材を芯材とした両面テープである。また、粘着剤による接着が適した固定面Ａの場合には粘着テープを、固定面Ａが布地であって面ファスナの一方のような係止部材が係止できるような場合にはその係止部材を、磁石に代えて用いればよい。
【００２８】
図１０は、取付け手段をピンだけにしたホルダ１を示している。このホルダ１では、磁石などを取付けるために形成した突条１４が不要であるので、厚みを薄くでき、見た目のコンパクト化を図ることができる。その上、形状の簡素化により、さらなるコストダウンを図ることもできる。
【００２９】
図１１は、取付け手段にピンを用いないホルダ１を示している。このホルダ１では、ピンの頭を押さえる部位を形成する必要がないので、前述の第１ヒンジ部７と被覆部６が不要であって、この場合も、厚みを薄くでき、見た目のコンパクト化やコストダウンを図ることができる。
【００３０】
なお、前述の第２ヒンジ部２０は、この発明のヒンジ部に対応する。
【図面の簡単な説明】
【図１】  紙葉類ホルダの斜視図。
【図２】  紙葉類ホルダの断面図。
【図３】  紙葉類ホルダの断面図。
【図４】  紙葉類ホルダの一部の斜視図。
【図５】  作用状態を示す断面図。
【図６】  作用状態を示す断面図。
【図７】  他の例に係る紙葉類ホルダの断面図。
【図８】  作用状態を示す断面図。
【図９】  他の例に係る紙葉類ホルダの断面図。
【図１０】  他の例に係る紙葉類ホルダの断面図。
【図１１】  他の例に係る紙葉類ホルダの断面図。
【図１２】  従来技術の斜視図。
【符号の説明】
１…紙葉類ホルダ
２…取付け部
３…本体
４…懐部
５…押圧片
５ａ…押さえ込み部
５ｂ…押圧部
６…被覆部
２０…第２ヒンジ部（ヒンジ部）
２１…切れ目
Ａ…固定面
Ｂ…紙葉類
【図１】
0003753488.tif 000002
【図２】
0003753488.tif 000003
【図３】
0003753488.tif 000004
【図４】
0003753488.tif 000005
【図５】
0003753488.tif 000006
【図６】
0003753488.tif 000007
【図７】
0003753488.tif 000008
【図８】
0003753488.tif 000009
【図９】
0003753488.tif 000010
【図１０】
0003753488.tif 000011
【図１１】
0003753488.tif 000012
【図１２】
0003753488.tif 000013